(57)【特許請求の範囲】
【請求項１】
ハードディスクレコーダ内蔵テレビジョン受像機において、
テレビジョン信号を受信して、第１の映像信号を出力する第１のチューナと、
テレビジョン信号を受信して、第２の映像信号を出力する第２のチューナと、
前記第２の映像信号を記録し、この記録された前記第２の映像信号を再生した再生信号である第３の映像信号を出力するハードディスクレコーダと、
前記第１の映像信号または前記第３の映像信号を表示する表示部と、
前記表示部に、前記第１の映像信号を供給するか前記第３の映像信号を供給するかを切り換える切換部と、
リモコン送信機または前記ハードディスクレコーダ内蔵テレビジョン受像機本体に設けた、前記第１のチューナによって受信するチャンネルを切り換えるための第１のキーと、
リモコン送信機または前記ハードディスクレコーダ内蔵テレビジョン受像機本体に設けた、前記表示部に表示させている前記第１の映像信号の過去の映像を前記表示部に表示させるための第２のキーと、
前記第１のキーによる前記第１のチューナによって受信するチャンネルの切換に連動して、前記第２のチューナによって受信するチャンネルを、第１のチューナによって受信するチャンネルと同じチャンネルとするよう前記第２のチューナを制御するチューナ制御部と、
前記第２の映像信号を前記ハードディスクレコーダに所定時間記録して、前記所定時間を越える過去の信号を消去しながら再循環式に記録を行うことにより、前記表示部に表示させている前記第１の映像信号と同じ映像である前記第２の映像信号を前記ハードディスクレコーダに前記所定時間記録するよう制御する再循環式記録制御部と、
前記第１のチューナによって受信するチャンネルとは無関係に、前記第２のチューナによって所定の時間帯に受信するチャンネルを特定チャンネルとして設定する特定チャンネル設定手段と、
前記特定チャンネル設定手段によって設定した前記特定チャンネルの映像信号を前記ハードディスクレコーダによって記録させる特定チャンネル記録手段と、
前記特定チャンネル設定手段で前記特定チャンネルを受信するとして設定した前記所定の時間帯以外で前記第２のキーが操作された際に、前記第２のキーの操作に応答して、前記表示部に供給する映像信号を前記第１の映像信号から前記第３の映像信号へと切り換えるよう前記切換部を制御する切換制御部と、
前記所定の時間帯に前記第２のキーが操作された際に、前記第２のキーの操作が無効である旨を示すオンスクリーン信号を発生して前記表示部に表示させるオンスクリーン表示制御部とを備えて構成したことを特徴とするハードディスクレコーダ内蔵テレビジョン受像機。
【発明の詳細な説明】
【０００１】
【発明の属する技術分野】
本発明は、ハードディスクにテレビジョン信号を記録したり、ハードディスクに記録したテレビジョン信号を再生するハードディスクレコーダを内蔵したハードディスクレコーダ内蔵テレビジョン受像機に関する。
【０００２】
【従来の技術】
テレビジョン信号を記録再生する記録再生装置として、ビデオテープを用いたビデオテープレコーダ（ＶＴＲ）が広く用いられてきた。近年、ハードディスク（ＨＤＤ）の記憶容量が格段に大きくなったことに伴い、テレビジョン信号をＨＤＤに比較的長時間記録できるようになってきた。そこで、記録媒体として、ビデオテープの代わりにＨＤＤを用いた、いわゆるハードディスクレコーダと称される記録再生装置が登場している。
【０００３】
ハードディスクレコーダは、ビデオテープのように巻戻しや早送りが必要なく、頭出しが早い、テレビジョン信号の記録と再生とを時分割で行って実質的に記録しながら再生するという同時記録再生が可能である等のビデオテープを用いた記録再生装置にはない種々の特長を有している。
【０００４】
【発明が解決しようとする課題】
現在のところ、ハードディスクレコーダを内蔵したテレビジョン受像機は登場していないが、ＶＴＲを内蔵した、いわゆるテレビデオと称されるテレビジョン受像機が広く普及していることから、ハードディスクレコーダ内蔵のテレビジョン受像機の登場も予想される。ハードディスクレコーダ内蔵テレビジョン受像機では、当然のことながら、ハードディスクレコーダ特有の機能を備えることが要求され、さらに、一般的なテレビデオと同様、視聴している番組とは異なる裏番組を録画する裏番組録画機能や、不在時等にタイマを用いて番組を録画するタイマ録画機能を備えることも要求されることが予想される。
【０００５】
このように、ハードディスクレコーダ内蔵テレビジョン受像機においては、ハードディスクレコーダ特有の機能と、ＶＴＲで従来から行ってきた裏番組録画機能やタイマ録画機能等とを両立させなければならないという必要性があり、この必要性を満たし、かつ、使い勝手のよい構成が望まれていた。
【０００６】
本発明はこのような問題点に鑑みなされたものであり、ハードディスクレコーダを内蔵したハードディスクレコーダ内蔵テレビジョン受像機において、ハードディスクレコーダ特有の機能の使い勝手をよくすることを目的とする。また、ハードディスクレコーダ特有の機能と、裏番組録画機能やタイマ録画機能等の記録再生装置としての既存機能とを使い勝手よく両立させることができるハードディスクレコーダ内蔵テレビジョン受像機を提供することを目的とする。
【０００７】
【課題を解決するための手段】
本発明は、上述した従来の技術の課題を解決するため、ハードディスクレコーダ内蔵テレビジョン受像機において、テレビジョン信号を受信して、第１の映像信号を出力する第１のチューナ（２）と、テレビジョン信号を受信して、第２の映像信号を出力する第２のチューナ（３）と、前記第２の映像信号を記録し、この記録された前記第２の映像信号を再生した再生信号である第３の映像信号を出力するハードディスクレコーダ（１１１）と、前記第１の映像信号または前記第３の映像信号を表示する表示部（８）と、前記表示部に、前記第１の映像信号を供給するか前記第３の映像信号を供給するかを切り換える切換部（６）と、リモコン送信機（１２）または前記ハードディスクレコーダ内蔵テレビジョン受像機本体に設けた、前記第１のチューナによって受信するチャンネルを切り換えるための第１のキー（１２１）と、リモコン送信機または前記ハードディスクレコーダ内蔵テレビジョン受像機本体に設けた、前記表示部に表示させている前記第１の映像信号の過去の映像を前記表示部に表示させるための第２のキー（１２２）と、前記第１のキーによる前記第１のチューナによって受信するチャンネルの切換に連動して、前記第２のチューナによって受信するチャンネルを、第１のチューナによって受信するチャンネルと同じチャンネルとするよう前記第２のチューナを制御するチューナ制御部（５）と、前記第２の映像信号を前記ハードディスクレコーダに所定時間記録して、前記所定時間を越える過去の信号を消去しながら再循環式に記録を行うことにより、前記表示部に表示させている前記第１の映像信号と同じ映像である前記第２の映像信号を前記ハードディスクレコーダに前記所定時間記録するよう制御する再循環式記録制御部（１０）と、前記第１のチューナによって受信するチャンネルとは無関係に、前記第２のチューナによって所定の時間帯に受信するチャンネルを特定チャンネルとして設定する特定チャンネル設定手段（１０１）と、前記特定チャンネル設定手段によって設定した前記特定チャンネルの映像信号を前記ハードディスクレコーダによって記録させる特定チャンネル記録手段（５，１０）と、前記特定チャンネル設定手段で前記特定チャンネルを受信するとして設定した前記所定の時間帯以外で前記第２のキーが操作された際に、前記第２のキーの操作に応答して、前記表示部に供給する映像信号を前記第１の映像信号から前記第３の映像信号へと切り換えるよう前記切換部を制御する切換制御部（５）と、前記所定の時間帯に前記第２のキーが操作された際に、前記第２のキーの操作が無効である旨を示すオンスクリーン信号を発生して前記表示部に表示させるオンスクリーン表示制御部（５，５２）とを備えて構成したことを特徴とするハードディスクレコーダ内蔵テレビジョン受像機を提供する。
【０００８】
【発明の実施の形態】
以下、本発明のハードディスクレコーダ内蔵テレビジョン受像機について、添付図面を参照して説明する。図１は本発明のハードディスクレコーダ内蔵テレビジョン受像機の一実施例を示すブロック図、図２〜図５は本発明のハードディスクレコーダ内蔵テレビジョン受像機の動作を説明するための図である。
【０００９】
図１において、アンテナ１より入来したテレビジョン放送波は、チューナ２，３双方に供給され受信される。チューナ２は、受信したテレビジョン信号（映像信号）を陰極線管等の表示部８に表示させるためのチューナである。一方、チューナ３は、主として、受信したテレビジョン信号をテレビジョン受像機に内蔵されたハードディスクレコーダ１１１によって記録するためのチューナである。
【００１０】
本実施例では、チューナ２を、ハードディスクレコーダ１１１によって記録するためのチューナとして用いていないが、チューナ２より出力されたテレビジョン信号をハードディスクレコーダ１１１によって記録するようにしてもよい。この場合であっても、チューナ２は、主として、受信したテレビジョン信号を陰極線管等の表示部８に表示させるためのチューナである。
【００１１】
チューナ２より出力されたテレビジョン信号は、映像音声切換部６に入力される。チューナ３より出力されたテレビジョン信号は、スイッチ４を介してハードディスクレコーダ１１１の一部を構成するＨＤＤ制御部１０に供給される。ＨＤＤ制御部１０に入力されたテレビジョン信号は、ＨＤＤ制御部１０の制御により、ＨＤＤ１１に記録される。なお、ＨＤＤ制御部１０は、テレビジョン信号をＭＰＥＧ２エンコードしてＨＤＤ１１に記録する。スイッチ４の役割については後述する。ＨＤＤ１１によって再生されたテレビジョン信号は、ＨＤＤ制御部１０を介して映像音声切換部６に入力される。
【００１２】
制御部５は、図１に示すテレビジョン受像機全体を制御している。即ち、制御部５は、チューナ２，３が受信するチャンネルを切り換えたり、スイッチ４や映像音声切換部６の切換を制御する。また、制御部５は、ＨＤＤ制御部１０を制御する。リモコン送信機１２からのリモコン信号は、図示していないリモコン受光部を介して制御部５に入力される。これによって、制御部５は、ユーザの操作により発せられたリモコン信号に応じて、回路各部を制御する。
【００１３】
映像音声切換部６は、入力された映像信号と音声信号を適宜に切り換えて出力するためのものである。映像音声切換部６は、映像信号Ｓ１と映像信号Ｓ２との少なくとも一方を画像合成部７に供給する。映像信号Ｓ１は、チューナ２で受信したテレビジョン信号の映像信号か、ハードディスクレコーダ１１１より供給された映像信号である。映像信号Ｓ２は、ハードディスクレコーダ１１１より供給された映像信号か、チューナ３で受信したテレビジョン信号の映像信号である。
【００１４】
画像合成部７は、２つの映像信号Ｓ１，Ｓ２が入力された場合にはそれを合成して、表示部８に供給する。映像音声切換部６が２つの映像信号Ｓ１，Ｓ２を出力するのは、本実施例のテレビジョン受像機が、２画面表示機能を有しているからである。２画面表示機能が必要なければ、映像音声切換部６からの映像信号の出力は１つでよい。また、２画面表示機能を有する本実施例においても、２画面ではなく、単画面を表示する場合には、映像信号Ｓ１，Ｓ２の内の一方を無信号とすればよい。
【００１５】
また、映像音声切換部６は、音声信号をスピーカ９に供給する。スピーカ９に供給する音声信号は、単画面を表示する場合には、その映像信号に対応した音声信号であり、２画面の場合には、いずれか一方の映像信号に対応した音声信号である。なお、実際には、映像音声切換部６とスピーカ９との間には、増幅回路等が存在するが、ここでは図示を省略している。
【００１６】
以上のように概略構成されるハードディスクレコーダ内蔵テレビジョン受像機は、次のように動作するようになっている。まず、ハードディスクレコーダ特有の機能の１つとして、ハードディスクレコーダ１１１は、受信したテレビジョン信号をＨＤＤ１１に所定時間分（例えば３時間分）、自動的に記録（キャッシュ記録）するようになっている。なお、この自動記録は、再循環式の記録であるため、所定時間より過去のものは消去される。
【００１７】
これにより、ユーザは、現在視聴している番組の過去の映像（シーン）をもう一度表示させることができる。上記のように、ハードディスクレコーダ１１１は、同時記録再生が可能であるので、番組の過去の映像を再生しながら、順次受信するテレビジョン信号を記録することができる。
【００１８】
ここで、図１に示すハードディスクレコーダ内蔵テレビジョン受像機は、前述のように、主として受信したテレビジョン信号を表示部８に表示させるためのチューナ２と、受信したテレビジョン信号をハードディスクレコーダ１１１によって記録するためのチューナ３とを備えている。よって、チューナ２が受信してユーザが視聴しているチャンネルと、チューナ３が受信するチャンネルとを関連付けて切り換えなければ、現在視聴している番組の過去の映像をもう一度表示させることができないことになる。
【００１９】
そこで、本発明のハードディスクレコーダ内蔵テレビジョン受像機では、次のように構成している。リモコン送信機１２は、チャンネルを切り換えるためのアップ／ダウンキー等のチャンネル切換キー１２１を備えている。チャンネル切換キー１２１はテンキーであってもよい。ユーザがチャンネル切換キー１２１を操作してチューナ２のチャンネルを切り換える操作をした場合、制御部５は、このチューナ２のチャンネル切換に連動して、チューナ３のチャンネルも切り換える。制御部５は、不揮発性メモリ（EEPROM）５１を備えており、チューナ２，３が受信しているチャンネルを記憶している。
【００２０】
図２を用いて、チューナ２，３のチャンネル切換の連動制御について説明する。図２において、（Ａ）はチューナ２の受信チャンネル、（Ｂ）はチューナ３の受信チャンネルの一例である。ユーザが時刻１９：００にチャンネル６に切り換えると、チューナ３の受信チャンネルもそれに合わせてチャンネル６に切り換えられる。そして、ユーザが時刻２０：００にチャンネル８に切り換えると、チューナ３の受信チャンネルもそれに合わせてチャンネル８に切り換えられる。このチャンネル切換の連動制御により、現在視聴している番組の過去の映像をもう一度表示させることが可能となる。
【００２１】
リモコン送信機１２は、現在視聴している番組の過去の映像をもう一度表示させるためのちょっと見再生キー１２２を備えている。図３において、（Ａ）はそれぞれの時刻において受信している画面を示しており、現在の画面をＦｎとする。ユーザがちょっと見再生キー１２２を操作すると、制御部５は、チューナ２より出力されたテレビジョン信号の表示から、図３（Ｂ）に示すように、ハードディスクレコーダ１１１より再生した所定時間さかのぼった（例えば７秒前）過去の画面Ｆ１からの表示へと切り換える。
【００２２】
具体的には、次の通りである。制御部５は、チューナ２より出力されたテレビジョン信号の映像信号を映像信号Ｓ１として出力するよう、映像音声切換部６を制御している。これにより、表示部８の画面には、チューナ２で受信している現在放送中の映像が表示されている。
【００２３】
そして、ちょっと見再生キー１２２が操作されると、制御部５は、過去の画面を再生するようＨＤＤ制御部１０を制御すると共に、映像音声切換部６が出力する映像信号Ｓ１をハードディスクレコーダ１１１からの再生信号とするよう切り換える。ハードディスクレコーダ１１１は、順次入来するテレビジョン信号を記録すると共に、時間をずらして再生する。ちょっと見再生キー１２２を再び操作することによって、チューナ２の出力である現在放送中の映像へと戻すことができる。
【００２４】
さらに、本発明のハードディスクレコーダ内蔵テレビジョン受像機は、ハードディスクレコーダ１１１によって、裏番組を録画したり、タイマを設定してタイマ録画させたりすることができる。裏番組録画やタイマ録画では、上述したチューナ２，３のチャンネル切換の連動制御を行わず、チューナ３のチャンネルはユーザが選択したチャンネルに固定する。
【００２５】
タイマ録画について具体的に説明する。ＨＤＤ制御部１０は、予約録画制御部１０１を備えており、リモコン送信機１２に設けたタイマ録画の設定キー（図示せず）によって番組の録画予約を設定すると、その設定情報は、制御部５を介して予約録画制御部１０１へと入力される。予約録画制御部１０１は、いつ（何曜日）、どのチャンネルを何時から何時まで録画するかというタイマ録画の設定情報をＨＤＤ１１の所定領域に書き込む。制御部５は、時計５３を備えている。予約録画制御部１０１は、ＨＤＤ１１に書き込まれた設定情報を常時読み出すと共に、制御部５の時計５３より入力された曜日及び時刻情報を監視する。
【００２６】
設定したタイマ録画の時刻になると、制御部５は、チューナ３を設定したチャンネルに切り換えると共に、そのチャンネルの番組を記録するよう、ハードディスクレコーダ１１１を制御する。図２（Ｂ）におけるＴＰＧは、時刻２１：００から時刻２１：４５までチャンネル１を録画したタイマ録画を示している。このタイマ録画ＴＰＧの途中で、チューナ２のチャンネルはチャンネル８からチャンネル１０に切り換えられているが、チューナ３のチャンネルはタイマ録画で設定したチャンネル１のままであり、チューナ２のチャンネル切換は、チューナ３に影響を与えない。
【００２７】
時刻２１：４５にタイマ録画ＴＰＧが終了すると、チューナ３のチャンネルは、タイマ録画ＴＰＧが終了した時点でチューナ２が選局しているチャンネル１０に切り換えられる。タイマを設定して録画を開始・終了させるタイマ録画ではなく、裏番組録画のような、ユーザがチャンネルを選択して番組を録画する場合でも、チューナ２，３のチャンネル切換の連動制御は行われない。
【００２８】
このように、本発明のハードディスクレコーダ内蔵テレビジョン受像機は、裏番組録画やタイマ録画のように、チューナ２によって受信するチャンネルとは無関係に、チューナ３によって受信するチャンネルをユーザが設定した特定チャンネルとし、この特定チャンネルで受信した映像信号及び音声信号をハードディスクレコーダ１１１によって記録させる特定チャンネル記録手段を備えている。
【００２９】
制御部５は、この特定チャンネル記録手段によってハードディスクレコーダ１１１が特定チャンネルで受信した映像信号を記録しているとき、チューナ３によって受信するチャンネルを、チューナ２によって受信するチャンネルの切換に連動させず、特定チャンネルで固定させる。即ち、チューナ２，３のチャンネル切換の連動制御は、ハードディスクレコーダ１１１が、ユーザが設定した特定チャンネルの記録を行っている状態では行われず、受像機の電源を投入したら自動的に記録を行っている自動記録の状態で行われる。
【００３０】
次に、本発明のハードディスクレコーダ内蔵テレビジョン受像機における２画面表示について説明する。リモコン送信機１２は、現在放送中の映像とハードディスクレコーダ１１１に記録された過去の映像とを２画面にて表示させるための、２画面表示キー１２３を備えている。ユーザが２画面表示キー１２３を操作すると、ハードディスクレコーダ１１１は、過去の画面を再生して、その再生信号を映像音声切換部６に入力する。映像音声切換部６は、現在放送中の映像であるチューナ２からの映像を映像信号Ｓ１として画像合成部７に入力し、ハードディスクレコーダ１１１より再生した所定時間さかのぼった過去の映像を映像信号Ｓ２として画像合成部７に入力する。
【００３１】
画像合成部７は、図４に示すように、例えば、映像信号Ｓ１による画像▲１▼を右側に、映像信号Ｓ２による画像▲２▼を左側に表示するよう画像合成し、表示部８に供給する。この２画面表示により、現在放送中の映像を見ながら、過去の映像を表示させることができる。なお、２画面表示キー１２３を再び操作することによって、チューナ２の出力である現在の映像の単画面へと戻すことができる。
【００３２】
本実施例では、現在放送中の映像とハードディスクレコーダ１１１より再生した過去の映像との２画面ではなく、異なる２つのチャンネルの映像の２画面を表示させることもできるようになっている。リモコン送信機１２は、異なる２つのチャンネルの映像を２画面にて表示させるための、２画面表示キー１２４を備えている。ユーザが２画面表示キー１２４を操作すると、制御部４はスイッチ４を図１における上側の端子に接続するよう切り換える。これにより、異なる２つのチャンネルの映像を２画面にて表示させることができる。なお、２画面表示キー１２４を再び操作することによって、チューナ２の出力である単画面へと戻すことができる。
【００３３】
ところで、特定チャンネル記録手段によって、チューナ３にて特定のチャンネルを受信した信号をハードディスクレコーダ１１１によって記録している状態では、図３で説明したような、現在視聴している番組の過去の映像をもう一度表示させることはできない。同様に、図４で説明したような、現在放送中の映像とハードディスクレコーダ１１１に記録された過去の映像との２画面を表示することはできない。特定チャンネル記録状態において、ユーザが、ちょっと見再生キー１２２や２画面表示キー１２３を操作しても、図３や図４のような表示はなされない。また、特定チャンネルを記録中であるので、スイッチ４を切り換えることもできない。
【００３４】
ちょっと見再生キー１２２や２画面表示キー１２３，１２４を操作しても、ユーザが意図した画面の表示状態とはならないので、ユーザは故障と勘違いする可能性がある。そこで、特定チャンネル記録状態において、ユーザが、ちょっと見再生キー１２２や２画面表示キー１２３，１２４を操作したら、表示部８の画面上にその旨を知らせるオンスクリーン表示をすることが好ましい。
【００３５】
そこで、特定チャンネル記録状態において、ちょっと見再生キー１２２や２画面表示キー１２３，１２４を操作したら、制御部５に内蔵されたオンスクリーン信号発生部５２は、これらのキーが無効である旨のオンスクリーン信号を発生し、画像合成部７に供給する。画像合成部７は映像音声切換部６から入力された映像信号にオンスクリーン信号を重畳して出力する。図５は、特定チャンネル記録状態において、ちょっと見再生キー１２２を操作した場合のオンスクリーン信号の一例である。「ちょっと見再生できません」なるオンスクリーン信号８osdが表示部８の画面に表示されている。
【００３６】
ちょっと見再生キー１２２や２画面表示キー１２３，１２４が無効である旨のオンスクリーン信号は任意である。オンスクリーン信号８osdのように操作されたキーに相当する機能が動作不可であることを示す直接的に示す表示でも、「裏番組録画中です」とか「タイマ録画中です」のように、操作されたキーに相当する機能が動作不可であることを示す間接的に示す表示であってもよい。
【００３７】
本発明は以上説明した本実施例に限定されることはなく、本発明の要旨を逸脱しない範囲において種々変更可能である。チャンネル切換キー１２１、ちょっと見再生キー１２２、２画面表示キー１２３，１２４は受像機本体に設けたキーであってもよい。
【００３８】
【発明の効果】
以上詳細に説明したように、本発明のハードディスクレコーダ内蔵テレビジョン受像機によれば、ハードディスクレコーダ特有の機能の使い勝手をよくすることができ、ハードディスクレコーダ特有の機能と、裏番組録画機能やタイマ録画機能等の記録再生装置としての既存機能とを使い勝手よく両立させることができる。
【図面の簡単な説明】
【図１】本発明の一実施例を示すブロック図である。
【図２】本発明の動作を説明するための図である。
【図３】本発明の動作を説明するための図である。
【図４】本発明の動作を説明するための図である。
【図５】本発明の動作を説明するための図である。
【符号の説明】
１  アンテナ
２，３  チューナ
５  制御部
６  映像音声切換部
７  画像合成部
８  表示部
１０  ＨＤＤ制御部
１１  ハードディスク（ＨＤＤ）
１２  リモコン送信機
１１１  ハードディスクレコーダ
１２１  チャンネル切換キー
１２２  ちょっと見再生キー
１２３，１２４  ２画面表示キー
【図１】
0003877136.tif 000002
【図２】
0003877136.tif 000003
【図３】
0003877136.tif 000004
【図４】
0003877136.tif 000005
【図５】
0003877136.tif 000006